【手続補正書】
【提出日】平成30年2月28日(2018.2.28)
【手続補正１】
【補正対象書類名】特許請求の範囲
【補正対象項目名】全文
【補正方法】変更
【補正の内容】
【特許請求の範囲】
【請求項１】
ワイヤレス通信ネットワークにおける高速インターネットプロトコル、ＩＰ、アドレス割り当てのための方法において、
アクセスポイントにおいて、局からセットアップメッセージを受信することと、
前記アクセスポイントにおいて、前記セットアップメッセージに基づいて、前記局に割り当てるために、前記ＩＰアドレスを選択することと、
前記アクセスポイントにおいて、前記ＩＰアドレスを、割り当てられたＩＰアドレスとして前記局に割り当てることと、
前記アクセスポイントから前記局にセットアップ応答を送信することとを含み、
前記セットアップメッセージは、高速初期セットアップ、ＦＩＬＳ、上位レイヤパケットコンテナ、または、ＦＩＬＳ  ＩＰアドレス割り当てエレメントを含み、前記ＦＩＬＳ  ＩＰアドレス割り当てエレメントは、ＩＰアドレスデータフィールドを含み、前記ＦＩＬＳ上位レイヤパケットコンテナまたは前記ＩＰアドレスデータフィールドは、前記局への１つ以上のＩＰアドレスのうちのＩＰアドレスの割り振りのための要求を示し、
前記セットアップ応答は、前記割り当てられたＩＰアドレスを識別する方法。
【請求項２】
前記セットアップメッセージは、前記局がダイナミックホストコンフィギュレーションプロトコル、ＤＨＣＰ、急速コミットプロトコルをサポートすることを示す請求項１記載の方法。
【請求項３】
前記ＩＰアドレスを前記局に割り当てる前に、前記アクセスポイントから前記局にダイナミックホストコンフィギュレーションプロトコル、ＤＨＣＰ、提供応答を送信することと、
前記アクセスポイントにおいて、前記局からＤＨＣＰ要求メッセージを受信することと、
前記ＤＨＣＰ要求メッセージを受信した後、前記アクセスポイントにおいて、前記ＩＰアドレスを、前記局に割り当てることとをさらに含み、
前記ＤＨＣＰ提供応答は、前記ＩＰアドレスを識別し、
前記ＤＨＣＰ要求メッセージは、前記アクセスポイントが前記ＩＰアドレスを前記局に割り当てることを要求する請求項１記載の方法。
【請求項４】
前記セットアップ応答を前記局に送信した後、前記アクセスポイントから第２のアクセスポイントにグラテュイタスアドレス解決プロトコル、ＡＲＰ、メッセージを送信することをさらに含み、
前記グラテュイタスＡＲＰメッセージは、前記ＩＰアドレスを含む請求項１記載の方法。
【請求項５】
前記グラテュイタスＡＲＰメッセージを送信することに応答して、前記アクセスポイントにおいて、前記第２のアクセスポイントから衝突信号を受信することをさらに含み、
前記衝突信号は、前記ＩＰアドレスが、前記第２のアクセスポイントに関係付けられている第２の局によって使用されていることを示す請求項４記載の方法。
【請求項６】
分散システム、ＤＳ、が、前記グラテュイタスＡＲＰメッセージに基づいて、前記局に対応するルーティング情報を更新する請求項４記載の方法。
【請求項７】
前記アクセスポイントから前記局にキャッシュインジケータを送信することをさらに含む請求項１記載の方法。
【請求項８】
前記キャッシュインジケータは、ビーコンの一部、プローブ応答の一部、または、高速初期リンクセットアップ、ＦＩＬＳ、発見フレームの一部として、前記アクセスポイントによって送信される請求項７記載の方法。
【請求項９】
前記キャッシュインジケータは、高速初期リンクセットアップ、ＦＩＬＳ、インジケーションエレメント中のＦＩＬＳ  ＩＰアドレスコンフィギュレーションサブフィールド中に含まれている請求項７記載の方法。
【請求項１０】
前記アクセスポイントにおいて、１つ以上の上位レイヤパケット、ＨＬＰ、を受信することと、
前記アクセスポイントにおいて、前記１つ以上のＨＬＰを調べて、前記セットアップメッセージを検出することとをさらに含む請求項１記載の方法。
【請求項１１】
前記アクセスポイントからダイナミックホストコンフィギュレーションプロトコル、ＤＨＣＰ、サーバに複数のＤＨＣＰ要求を送信することと、
前記アクセスポイントにおいて、複数のＩＰアドレスを、前記ＤＨＣＰサーバから受信することと、
前記アクセスポイントにおいて、前記複数のＩＰアドレスを利用可能なＩＰアドレスのプールに割り当てることとをさらに含み、
各ＤＨＣＰ要求は、対応するプライベート媒体アクセス制御、ＭＡＣ、アドレスを含み、
各ＩＰアドレスは、前記複数のＤＨＣＰ要求のうちのＤＨＣＰ要求に対応する請求項１記載の方法。
【請求項１２】
前記セットアップ応答を前記局に送信した後、前記割り当てられたＩＰアドレスが満了しようとしているとき、前記アクセスポイントから前記ＤＨＣＰサーバにＩＰリース延長要求を送信することをさらに含み、
前記ＩＰリース延長要求は、前記割り当てられたＩＰアドレスに対応する請求項１１記載の方法。
【請求項１３】
前記アクセスポイントにおいて、前記アクセスポイントの基本サービスセット識別、ＢＳＳＩＤ、を使用して、少なくとも１つのプライベートＭＡＣアドレスを発生させることをさらに含む請求項１１記載の方法。
【請求項１４】
請求項１から１３のうちのいずれかにしたがう方法を実行するための命令を含むコンピュータプログラム。
【請求項１５】
装置において、
アクセスポイントにおいて、セットアップメッセージを受信する手段と、
前記セットアップメッセージに基づいて、局に割り当てるために、インターネットプロトコル、ＩＰ、アドレスを選択する手段と、
前記ＩＰアドレスを、割り当てられたＩＰアドレスとして前記局に割り当てる手段と、
前記局にセットアップ応答を送信する手段とを具備し、
前記セットアップメッセージは、高速初期セットアップ、ＦＩＬＳ、上位レイヤパケットコンテナ、または、ＦＩＬＳ  ＩＰアドレス割り当てエレメントを含み、前記ＦＩＬＳ  ＩＰアドレス割り当てエレメントは、ＩＰアドレスデータフィールドを含み、前記ＦＩＬＳ上位レイヤパケットコンテナまたは前記ＩＰアドレスデータフィールドは、前記局への１つ以上のＩＰアドレスのうちのＩＰアドレスの割り振りのための要求を示し、
前記セットアップ応答は、前記割り当てられたＩＰアドレスを識別する装置。
【手続補正２】
【補正対象書類名】明細書
【補正対象項目名】００７２
【補正方法】変更
【補正の内容】
【００７２】
［００７７］
開示した実施形態の前の説明は、当業者が開示した実施形態を作るまたは使用することを可能にするために提供される。これらの実施形態へのさまざまな修正は当業者に容易に明らかであり、ここで規定した原理は、本開示の範囲から逸脱することなく、他の実施形態に適用することができる。したがって、本開示は、ここに示した実施形態に限定するようには意図されず、以下の特許請求の範囲によって規定されるような原理および新規な特徴と一致する、可能である最も広い範囲に一致させるべきである。
以下に、本願出願の当初の特許請求の範囲に記載された発明を付記する。
［１］  ワイヤレス通信ネットワークにおける高速インターネットプロトコル（ＩＰ）アドレス割り当てのための方法において、
アクセスポイントにおいて、局からセットアップメッセージを受信することと、
前記アクセスポイントにおいて、前記セットアップメッセージに基づいて、前記局に割り当てるために、利用可能なＩＰアドレスのプールから利用可能なＩＰアドレスを選択することと、
前記アクセスポイントにおいて、前記利用可能なＩＰアドレスを、割り当てられたＩＰアドレスとして前記局に割り当てることと、
前記アクセスポイントから前記局にセットアップ応答を送信することとを含み、
前記セットアップメッセージは、前記局へのＩＰアドレスの割り振りを要求し、
前記セットアップ応答は、前記割り当てられたＩＰアドレスを識別する方法。
［２］  前記セットアップメッセージは、前記局がダイナミックホストコンフィギュレーションプロトコル（ＤＨＣＰ）急速コミットプロトコルをサポートすることを示す［１］記載の方法。
［３］  前記セットアップメッセージは、ＤＨＣＰ発見メッセージを含み、
前記セットアップ応答は、前記割り当てられたＩＰアドレス示すＤＨＣＰ肯定応答メッセージを含む［２］記載の方法。
［４］  前記利用可能なＩＰアドレスを前記局に割り当てる前に、前記アクセスポイントから前記局にダイナミックホストコンフィギュレーションプロトコル（ＤＨＣＰ）提供応答を送信することと、
前記アクセスポイントにおいて、前記局からＤＨＣＰ要求メッセージを受信することと、
前記ＤＨＣＰ要求メッセージを受信した後、前記アクセスポイントにおいて、前記利用可能なＩＰアドレスを、前記局に割り当てることとをさらに含み、
前記ＤＨＣＰ提供応答は、前記利用可能なＩＰアドレスを識別し、
前記ＤＨＣＰ要求メッセージは、前記アクセスポイントが前記利用可能なＩＰアドレスを前記局に割り当てることを要求する［１］記載の方法。
［５］  前記セットアップ応答は、前記ＤＨＣＰ要求メッセージを受信することに基づいて送られ、
前記セットアップ応答は、前記割り当てられたＩＰアドレスを含むＤＨＣＰ肯定応答メッセージを含む［４］記載の方法。
［６］  前記セットアップ応答を前記局に送信した後、前記アクセスポイントから第２のアクセスポイントにグラテュイタスアドレス解決プロトコル（ＡＲＰ）メッセージを送信することをさらに含み、
前記グラテュイタスＡＲＰメッセージは、前記割り当てられたＩＰアドレスを含む［１］記載の方法。
［７］  前記グラテュイタスＡＲＰメッセージを送信することに応答して、前記アクセスポイントにおいて、前記第２のアクセスポイントから衝突信号を受信することをさらに含み、
前記衝突信号は、前記割り当てられたＩＰアドレスが、前記第２のアクセスポイントに関係付けられている第２の局によって使用されていることを示す［６］記載の方法。
［８］  前記アクセスポイントにおいて、前記衝突信号に基づいて、前記局に割り当てるために、前記利用可能なＩＰアドレスのプールから第２の利用可能なＩＰアドレスを選択することと、
前記アクセスポイントにおいて、前記第２の利用可能なＩＰアドレスを、前記割り当てられたＩＰアドレスとして前記局に割り当てることと、
前記アクセスポイントから前記局に第２のセットアップ応答を送信することとをさらに含み、
前記第２のセットアップ応答は、前記割り当てられたＩＰアドレスを識別する［７］記載の方法。
［９］  分散システム（ＤＳ）が、前記グラテュイタスＡＲＰメッセージに基づいて、前記局に対応するルーティング情報を更新する［６］記載の方法。
［１０］  前記割り当てられたＩＰアドレスを含むグラテュイタスアドレス解決プロトコル（ＡＲＰ）メッセージを受信することに基づいて、前記アクセスポイントから第２のアクセスポイントに衝突インジケータを送信することをさらに含む［１］記載の方法。
［１１］  前記アクセスポイントから前記局にキャッシュインジケータを送信することをさらに含む［１］記載の方法。
［１２］  前記セットアップメッセージは、前記キャッシュインジケータに応答し、
前記セットアップメッセージは、高速初期リンクセットアップ（ＦＩＬＳ）ＩＰアドレス要求エレメントを含む［１１］記載の方法。
［１３］  前記キャッシュインジケータは、ビーコンの一部、プローブ応答の一部、または、高速初期リンクセットアップ（ＦＩＬＳ）発見フレームの一部として、前記アクセスポイントによって送信される［１１］記載の方法。
［１４］  前記キャッシュインジケータは、高速初期リンクセットアップ（ＦＩＬＳ）インジケーションエレメント中のＦＩＬＳ  ＩＰアドレスコンフィギュレーションサブフィールド中に含まれている［１１］記載の方法。
［１５］  前記アクセスポイントにおいて、１つ以上のより高いレイヤパケット（ＨＬＰ）を受信することと、
前記アクセスポイントにおいて、前記１つ以上のＨＬＰを調べて、前記セットアップメッセージを検出することとをさらに含む［１］記載の方法。
［１６］  前記アクセスポイントからダイナミックホストコンフィギュレーションプロトコル（ＤＨＣＰ）サーバに複数のＤＨＣＰ要求を送信することと、
前記アクセスポイントにおいて、複数のＩＰアドレスを、前記ＤＨＣＰサーバから受信することと、
前記アクセスポイントにおいて、前記複数のＩＰアドレスを前記利用可能なＩＰアドレスのプールに割り当てることとをさらに含み、
各ＤＨＣＰ要求は、対応するプライベート媒体アクセス制御（ＭＡＣ）アドレスを含み、
各ＩＰアドレスは、前記複数のＤＨＣＰ要求のうちのＤＨＣＰ要求に対応する［１］記載の方法。
［１７］  前記セットアップ応答を前記局に送信した後、前記割り当てられたＩＰアドレスが満了しようとしているとき、前記アクセスポイントから前記ＤＨＣＰサーバにＩＰリース延長要求を送信することをさらに含み、
前記ＩＰリース延長要求は、前記割り当てられたＩＰアドレスに対応する［１６］記載の方法。
［１８］  前記アクセスポイントは、前記ＤＨＣＰサーバと同じ位置に配置されている［１６］記載の方法。
［１９］  前記アクセスポイントにおいて、前記アクセスポイントの基本サービスセット識別（ＢＳＳＩＤ）を使用して、少なくとも１つのプライベートＭＡＣアドレスを発生させることをさらに含む［１６］記載の方法。
［２０］  少なくとも１つのプライベートＭＡＣアドレスは、ベンダーによって前記アクセスポイントに割り当てられる［１６］記載の方法。
［２１］  装置において、
プロセッサと、
動作を実行するために、前記プロセッサによって実行可能な命令を記憶しているメモリとを具備し、
前記動作は、
アクセスポイントにおいて、局からセットアップメッセージを受信することと、
前記アクセスポイントにおいて、前記セットアップメッセージに基づいて、前記局に割り当てるために、利用可能なインターネットプロトコル（ＩＰ）アドレスのプールから利用可能なＩＰアドレスを選択することと、
前記アクセスポイントにおいて、前記利用可能なＩＰアドレスを、割り当てられたＩＰアドレスとして前記局に割り当てることと、
前記アクセスポイントから前記局にセットアップ応答を送信することとを含み、
前記セットアップメッセージは、前記局へのＩＰアドレスの割り振りを要求し、
前記セットアップ応答は、前記割り当てられたＩＰアドレスを識別する装置。
［２２］  前記利用可能なＩＰアドレスのプールは、前記メモリの一部分に対応する［２１］記載の装置。
［２３］  前記動作は、
前記アクセスポイントからダイナミックホストコンフィギュレーションプロトコル（ＤＨＣＰ）サーバに複数のＤＨＣＰ要求を送信することと、
前記アクセスポイントにおいて、複数のＩＰアドレスを、前記ＤＨＣＰサーバから受信することと、
前記アクセスポイントにおいて、前記複数のＩＰアドレスを前記利用可能なＩＰアドレスのプールに割り当てることとをさらに含み、
各ＤＨＣＰ要求は、対応するプライベート媒体アクセス制御（ＭＡＣ）アドレスを含み、
各ＩＰアドレスは、前記複数のＤＨＣＰ要求のうちのＤＨＣＰ要求に対応する［２１］記載の装置。
［２４］  前記セットアップメッセージは、前記局がダイナミックホストコンフィギュレーションプロトコル（ＤＨＣＰ）急速コミットプロトコルをサポートすることを示す［２１］記載の装置。
［２５］  前記セットアップメッセージは、ＤＨＣＰ発見メッセージを含み、
前記セットアップ応答は、前記割り当てられたＩＰアドレス示すＤＨＣＰ肯定応答メッセージを含む［２４］記載の装置。
［２６］  装置において、
アクセスポイントにおいて、セットアップメッセージを受信する手段と、
前記セットアップメッセージに基づいて、局に割り当てるために、利用可能なインターネットプロトコル（ＩＰ）アドレスのプールから利用可能なＩＰアドレスを選択する手段と、
前記利用可能なＩＰアドレスを、割り当てられたＩＰアドレスとして前記局に割り当てる手段と、
前記局にセットアップ応答を送信する手段とを具備し、
前記セットアップメッセージは、前記局へのＩＰアドレスの割り振りを要求し、
前記セットアップ応答は、前記割り当てられたＩＰアドレスを識別する装置。
［２７］  前記利用可能なＩＰアドレスのプールは、前記利用可能なＩＰアドレスを選択する手段に結合されているメモリの一部分に対応する［２６］記載の装置。
［２８］  ワイヤレス通信ネットワークにおける高速インターネットプロトコル（ＩＰ）アドレス割り当てのための命令を具備する非一時的コンピュータ読取可能媒体において、
前記命令は、アクセスポイントにおいて、プロセッサによって実行されるとき、前記プロセッサに、
局からセットアップメッセージを受信させ、
前記セットアップメッセージに基づいて、前記局に割り当てさせるために、利用可能なＩＰアドレスのプールから利用可能なＩＰアドレスを選択させ、
前記利用可能なＩＰアドレスを、割り当てられたＩＰアドレスとして前記局に割り当てさせ、
前記局にセットアップ応答を送信させ、
前記セットアップメッセージは、前記局へのＩＰアドレスの割り振りを要求し、
前記セットアップ応答は、前記割り当てられたＩＰアドレスを識別する非一時的コンピュータ読取可能媒体。
［２９］  前記セットアップメッセージは、前記局がダイナミックホストコンフィギュレーションプロトコル（ＤＨＣＰ）急速コミットプロトコルをサポートすることを示す［２８］記載の非一時的コンピュータ読取可能媒体。
［３０］  前記セットアップメッセージは、ＤＨＣＰ発見メッセージを含み、
前記セットアップ応答は、前記割り当てられたＩＰアドレス示すＤＨＣＰ肯定応答メッセージを含む［２９］記載の非一時的コンピュータ読取可能媒体。